(57)【要約】【課題】係止バネ部が外力により変形するのを防止すること。【解決手段】コンタクト１１の係止部１３は、変位方向Ｚで変位する係止バネ片２１と、該係止バネ部２３ａ，２４ａに形成した窓部２３ｄ，２４ｄとを有し、前記インシュレータ３１の壁面４２ａには、前記コンタクト１１を前記コンタクト収容部３２ａへ挿入する途中で前記係止バネ部２３ａ，２４ａを前記変位方向Ｚへ押圧し、かつ前記コンタクト１１を収容した状態で前記窓部２３ｄ，２４ｄに入り込み前記コンタクト１１の移動を規制するよう前記コンタクト収容部３２ａへ突出している係止突起部３４を設けた。【選択図】　　　図１
2004071462.tif 000002
【特許請求の範囲】
【請求項１】
導電性のコンタクトと、該コンタクトが一軸線に沿って第１の方向で挿入され保持されているインシュレータとを有し、前記コンタクトは、前記第１の方向とは逆向きの第２の方向から前記インシュレータ内へ挿入される相手側コネクタの導電性の相手コンタクトに接触する接触部と、前記インシュレータに係止するよう該接触部の前記第２の方向における一端に前記一軸線に沿って連接している係止部とを含み、前記接触部及び前記係止部が前記一軸線に沿って延びている互いに共通なベース板部を有し、前記インシュレータは、前記第１及び第２の方向の両端が開放しておりかつ前記コンタクトが前記一軸線回りへ移動するのを規制して前記インシュレータの所定位置に保持するよう前記一軸線に沿って形成されている壁面によって囲まれたコンタクト収容部を有しているコネクタにおいて、前記係止部は、前記一軸線を直交する前記ベース板部の幅方向における一対の側辺にそれぞれに接続されて互いに対向するよう延びかつ互いに近づく向きの変位方向で変位可能な一対の係止バネ部と、該係止バネ部から前記ベース板部の一面に対向するよう曲げられて延びかつ延在端が対向しているバネ延在部と、前記係止バネ部に形成した窓部とを有し、前記壁面には、前記コンタクトを前記コンタクト収容部へ挿入する途中で前記係止バネ部を前記変位方向へ押圧しかつ前記コンタクトを前記コンタクト収容部の所定位置に収容した状態で前記窓部に入り込み前記コンタクトの前記第２の方向への移動を規制するよう前記コンタクト収容部へ突出している一対の係止突起部が設けられていることを特徴とするコネクタ。
【請求項２】
請求項１記載のコネクタにおいて、前記係止突起部は、前記コンタクト収容部へ前記コンタクトが前記第１の方向で挿入されて前記係止バネ部が前記係止突起部に位置したときに前記係止バネ部の前記第１方向端側の外側端辺に当接するテーパ面と、さらに前記コンタクトが前記第１の方向へ挿入されたときに前記テーパ面に引き続き前記係止バネ部を摺接させつつ前記変位方向へ押圧して変位させる摺接面と、前記窓部に前記係止突起部が入り込み前記コンタクトが前記所定位置に位置したときに前記窓部の内側辺に対向して前記コンタクトの前記第２の方向への移動を阻止する係止面とを有していることを特徴とするコネクタ。
【請求項３】
導電性のコンタクトと、該コンタクトが一軸線に沿って第１の方向で挿入され保持されているインシュレータとを有し、前記コンタクトは、前記第１の方向とは逆向きの第２の方向から前記インシュレータ内へ挿入される相手側コネクタの導電性の相手コンタクトに接触する接触部と、前記インシュレータに係止するよう該接触部の前記第２の方向における一端に前記一軸線に沿って連接している係止部とを含み、前記接触部及び前記係止部が前記一軸線に沿って延びている互いに共通なベース板部を有し、前記インシュレータは、前記第１及び第２の方向の両端が開放しておりかつ前記コンタクトが前記一軸線回りへ移動するのを規制して前記インシュレータの所定位置に保持するよう前記一軸線に沿って形成されている壁面によって囲まれたコンタクト収容部を有しているコネクタにおいて、前記係止部は、前記一軸線を直交する前記ベース板部の幅方向における一対の側辺にそれぞれに接続されて互いに対向するよう延びてかつ互いに離れる向きの変位方向で変位可能な一対の係止バネ部と、該係止バネ部から前記ベース板部の一面に対向するよう曲げられて延びかつ延在端が対向しているバネ延在部とを有し、前記壁面には、前記コンタクトを前記コンタクト収容部へ挿入する途中で前記バネ延在部の前記延在端間に入り込み前記係止バネ部を前記変位方向へ押圧しかつ前記コンタクトを前記コンタクト収容部の所定位置に収容した状態で前記第２の方向における前記係止部の端辺に対向して前記コンタクトの前記第２の方向への移動を規制するよう前記コンタクト収容部へ突出している係止突起部が設けられていることを特徴とするコネクタ。
【請求項４】
請求項３記載のコネクタにおいて、前記バネ延在部の前記延在端は、前記第１の方向の端から前記第２の方向へ前記幅方向における寸法が次第に小さい寸法となるよう傾斜しているテーパ端面を有していることを特徴とするコネクタ。
【請求項５】
請求項４記載のコネクタにおいて、前記係止突起部は、前記コンタクト収容部へ前記コンタクトが前記第１の方向で挿入されて前記係止バネ部に前記係止突起部が位置したときに前記係止バネ部の前記テーパ端面に当接するテーパ面と、さらに前記コンタクトが前記第１の方向へ挿入されたときに前記テーパ面に引き続き前記係止バネ部の前記延在端を摺接させ前記係止バネ部を前記変位方向へ押圧して変位させる摺接面と、前記コンタクトが前記所定位置に位置したときに前記第２の方向における前記係止部の前記第２の方向における端辺に対向して前記コンタクトの前記第２の方向への移動を阻止する係止面とを有していることを特徴とするコネクタ。
【発明の詳細な説明】
【０００１】
【発明の属する技術分野】
本発明は、インシュレータに一方向から挿入されるコンタクトを、インシュレータに収容して保持するコネクタに属する。
【０００２】
【従来の技術】
先行技術におけるコネクタは、図８に示すように、導電性のコンタクト３１１と、コンタクト３１１を保持しているインシュレータ３１１とを有している。コンタクト３１１は、インシュレータ３３１内へ挿入される相手側コネクタの導電性の相手コンタクト（図示せず）に接触する接触部３１２と、ケーブル３６１の芯線３６２を接続する芯線接続部３３４と、ケーブル３６１を保持する保持部３３５とを有している。
【０００３】
インシュレータ３３１は、コンタクト３１１を所定位置に保持するように、壁面３３５によって囲まれているコンタクト収容部３３７を有している。インシュレータ３３１には、壁面３３５からコンタクト収容部３３７へランス４０１が延びている。ランス４０１の先端は、接触部３１２の後部に掛かり、コンタクト３１１を係止している。インシュレータ３３１は、通常、プラスチック材料で形成加工され製作されるが、ランス４０１の形状が細長いものであることから成型時には十分な材料を充填する必要がある。
【０００４】
また、ランス４０１は、コンタクト収容部３３７へコンタクト３１１を挿入して保持するときに、接触部３１２によって押圧されて変位し、ランス４０１の先端が接触部３１２の後部に位置したときに、元の状態に戻り、接触部３１２の後部で係止するものである。
【０００５】
【発明が解決しようとする課題】
しかしながら、インシュレータ３３１のランス４０１の形状は、弾性を有するように細長い形状に成型されるものであることから、成型時には十分な材料が充填されないことがあり未充填部分がある場合にコンタクト３１１を係止する位置が変わってしまうという問題がある。
【０００６】
また、ランス４０１は、コンタクト収容部３３７へコンタクト３１１を挿入して保持するときに、接触部３１２によって押圧されて変位するので、形状、厚み寸法を大きく設定しなければならず、インシュレータ３３１そのものが大きくなってしまうという問題がある。
【０００７】
それ故に本発明の課題は、係止バネ部の外力による変形を防止することができるコネクタを提供することにある。
【０００８】
また、本発明の他の課題は、コンタクトを確実に保持することができ、さらに小形化が可能なコネクタを提供することにある。
【０００９】
【課題を解決するための手段】
本発明によれば、導電性のコンタクトと、該コンタクトが一軸線に沿って第１の方向で挿入され保持されているインシュレータとを有し、前記コンタクトは、前記第１の方向とは逆向きの第２の方向から前記インシュレータ内へ挿入される相手側コネクタの導電性の相手コンタクトに接触する接触部と、前記インシュレータに係止するよう該接触部の前記第２の方向における一端に前記一軸線に沿って連接している係止部とを含み、前記接触部及び前記係止部が前記一軸線に沿って延びている互いに共通なベース板部を有し、前記インシュレータは、前記第１及び第２の方向の両端が開放しておりかつ前記コンタクトが前記一軸線回りへ移動するのを規制して前記インシュレータの所定位置に保持するよう前記一軸線に沿って形成されている壁面によって囲まれたコンタクト収容部を有しているコネクタにおいて、前記係止部は、前記一軸線を直交する前記ベース板部の幅方向における一対の側辺にそれぞれに接続されて互いに対向するよう延びかつ互いに近づく向きの変位方向で変位可能な一対の係止バネ部と、該係止バネ部から前記ベース板部の一面に対向するよう曲げられて延びかつ延在端が対向しているバネ延在部と、前記係止バネ部に形成した窓部とを有し、前記壁面には、前記コンタクトを前記コンタクト収容部へ挿入する途中で前記係止バネ部を前記変位方向へ押圧しかつ前記コンタクトを前記コンタクト収容部の所定位置に収容した状態で前記窓部に入り込み前記コンタクトの前記第２の方向への移動を規制するよう前記コンタクト収容部へ突出している一対の係止突起部が設けられていることを特徴とするコネクタが得られる。
【００１０】
また、本発明によれば、導電性のコンタクトと、該コンタクトが一軸線に沿って第１の方向で挿入され保持されているインシュレータとを有し、前記コンタクトは、前記第１の方向とは逆向きの第２の方向から前記インシュレータ内へ挿入される相手側コネクタの導電性の相手コンタクトに接触する接触部と、前記インシュレータに係止するよう該接触部の前記第２の方向における一端に前記一軸線に沿って連接している係止部とを含み、前記接触部及び前記係止部が前記一軸線に沿って延びている互いに共通なベース板部を有し、前記インシュレータは、前記第１及び第２の方向の両端が開放しておりかつ前記コンタクトが前記一軸線回りへ移動するのを規制して前記インシュレータの所定位置に保持するよう前記一軸線に沿って形成されている壁面によって囲まれたコンタクト収容部を有しているコネクタにおいて、前記係止部は、前記一軸線を直交する前記ベース板部の幅方向における一対の側辺にそれぞれに接続されて互いに対向するよう延びてかつ互いに離れる向きの変位方向で変位可能な一対の係止バネ部と、該係止バネ部から前記ベース板部の一面に対向するよう曲げられて延びかつ延在端が対向しているバネ延在部とを有し、前記壁面には、前記コンタクトを前記コンタクト収容部へ挿入する途中で前記バネ延在部の前記延在端間に入り込み前記係止バネ部を前記変位方向へ押圧しかつ前記コンタクトを前記コンタクト収容部の所定位置に収容した状態で前記第２の方向における前記係止部の端辺に対向して前記コンタクトの前記第２の方向への移動を規制するよう前記コンタクト収容部へ突出している係止突起部が設けられていることを特徴とするコネクタが得られる。
【００１１】
【作用】
本発明では、コンタクトを第１の方向でコンタクト収容部に挿入する途中で、係止突起部に係止バネ部が当接する。さらに、コンタクトを第１の方向へ挿入していくと、係止バネ部が係止突起部によって押圧されて変位する。このとき、係止部は、係止突起部を摺接して第１の方向へ移動する。
【００１２】
そして、さらに、コンタクトを第１の方向へ挿入していくと、係止突起部から係止バネ部が外れることによって押圧が解除され、係止バネ部がバネ復元力によって元の位置へ戻る。この状態では、係止バネ部が係止突起部に限りなく近づいて対向するか、互いに当接するように位置させることができるので、コンタクトの第２の方向への移動が阻止される。
【００１３】
また、コンタクトは、導電板をプレス打ち抜き加工を行った後、曲げ加工を施すことによって製作することができ、インシュレータの係止突起部は、プラスチック材によってインシュレータを成型するときに同時に成型することができる。
【００１４】
【発明の実施の形態】
図１は、本発明に係るコネクタの第１実施の形態例を示している。図２は、図１に示したコンタクトを拡大して示している。なお、図１は、コンタクトをインシュレータへ挿入する途中の状態からコンタクトを挿入した後の状態を段階的に示している。
【００１５】
図１及び図２を参照して、コネクタは、一軸線Ｘに長い寸法の導電性のコンタクト１１と、コンタクト１１を収容するインシュレータ３１とを有している。コンタクト１１は、コンタクト１１の一軸線Ｘにおける第１の方向Ａ端を前方としてインシュレータ３１の後述する複数のコンタクト収容部３２ａ，３２ｂ，３２ｃ，３２ｄへ一対一に挿入して収容される。ここで、第１の方向Ａは、コンタクト１１をインシュレータ３１へ挿入する方向と同じ方向である。
【００１６】
コンタクト１１は、一軸線Ｘを直交する断面が略四角形状を呈している筒形状の接触部１２と、接触部１２から第１の方向Ａとは逆向きの第２の方向（コンタクト１１をインシュレータ３１から離脱する離脱方向に相当）Ｂに連接されている係止部１３と、係止部１３から第２の方向Ｂに連接されている芯線接続部１４と、芯線接続部１４から第２の方向Ｂに連接されている被覆圧着部１５とを有している。
【００１７】
接触部１２、係止部１３、芯線接続部１４、及び被覆圧着部１５は、これらが一軸線Ｘに沿って長い寸法に形成された互いに共通する長板形状のベース板部１６によって一体に連接されている。
【００１８】
接触部１２は、ベース板部１６の一部と、一軸線Ｘを直交するベース板部１６の幅方向Ｙ（図２を参照）の一対の辺からベース板部１６の一面１６ａ上方へ相対向して延びている一対の接触側板部１２ａ，１２ｂと、ベース板部１６に平行に対向しかつ一方の接触側板部１２ａに接続されている接触支持部１２ｃとを有している。
【００１９】
さらに、接触部１２は、一対の接触側板部１２ａ，１２ｂの一方に第１の方向Ａの一端側で接続されて一対の接触側板部１２ａ，１２ｂ間で一端側から第２の方向Ｂへ延びている第１の接触バネ片１２ｆと、一対の接触側板部１２ａ，１２ｂのもう一方に第２の方向Ｂの一端側で接続されて一対の接触側板部１２ａ，１２ｂ間で第１の方向Ａへ延びている第２の接触バネ片１２ｇとを有している。
【００２０】
第１の接触バネ片１２ｆと第２の接触バネ片１２ｇとは、これらの先端部分が、第１の接触バネ片１２ｆをベース板部１６側として重ね合わされている。第１の接触バネ片１２ｆには、第２の方向Ｂからインシュレータ３１内へ挿入されて接触部１２へ入り込む相手側コネクタ（図示せず）の導電性の相手コンタクト５１に接触する。
【００２１】
なお、接触部１２を構成するベース板部１６、一対の接触側板部１２ａ，１２ｂ及び接触支持部１２ｃは、外力に対して第１の接触バネ片１２ｆと第２の接触バネ片１２ｇを保護する役目も果たしている。
【００２２】
係止部１３は、一軸線Ｘを直交するベース板部１６の幅方向Ｙにおける一対の側辺にそれぞれに接続されて互いに対向するよう延びている一対の係止バネ部２３ａ，２４ａと、ベース板部１６の一面１６ａに対向するように係止バネ部２３ａ，２４ａから略直角に曲げられて係止バネ部２３ａ，２４ａから延びているバネ延在部２３ｂ，２４ｂと、一対の係止バネ部２３ａ，２４ａのそれぞれに形成されている窓部２３ｄ，２４ｄとを有している。
【００２３】
一対の係止バネ部２３ａ，２４ａは、互いに近づく向きの変位方向Ｚ（図２を参照）で変位可能であり、バネ延在部２３ｂ，２４ｂの延在端２３ｆ，２４ｆは隙間Ｇをもって対向している。また、バネ延在部２３ｂ，２４ｂは、ベース板部１６から接触支持板部１２ｃまでの高さ寸法よりも高い位置に設定されている。
【００２４】
芯線接続部１４は、ベース板部１６から接触支持板部１２ｃよりも上方へ位置するように延びて相対向している一対の接続片１４ａ，１４ｂを有している。被覆圧着部１５は、ベース板部１６側から接触支持板部１２ｃよりも上方へ位置するように延びて相対向している一対の圧着片１５ａ，１５ｂを有している。
【００２５】
一対の接続片１４ａ，１４ｂは、図３に示すように、ケーブル６１の芯線６２に接続するように先端部分を曲げることによって接続される。また、ケーブル６１の芯線６２を被覆している絶縁性の被覆部６３は、芯線６２とともにケーブル６１を保持するために先端部分を曲げることによって保持される。
【００２６】
なお、コンタクト１１は、薄い金属板のような導電板をプレス打ち抜き加工することによってコンタクト展開形状を形成した後、曲げ加工を施すことによって作ることができる。この際、接触部１２の接触支持板部１２ｃと一方の接触側板１２ｂは、幅方向Ｙを直交する各辺で合わせるように曲げることによって接触部１２が筒形状をなすように形成する。
【００２７】
一方、インシュレータ３１は、図１及び図４に示すように、一軸線Ｘで長い寸法の複数のコンタクト収容部３２ａ，３２ｂ，３２ｃ，３２ｄを有している。コンタクト収容部３２ａ〜３２ｄは、一軸線Ｘにおけるコンタクト１１の寸法よりも長い寸法となっている。コンタクト収容部３２ａ〜３２ｄは、一軸線Ｘの第１及び第２の方向Ａ，Ｂにおける両端が開放されており、一軸線Ｘ回りの方向における移動を規制してコンタクト１１を一軸線Ｘに沿って第１の方向Ａへ挿入するように周囲を複数の壁部３６，３７，３８，３９，４０，４２，４３（壁部４３は図４を参照）の壁面３６ｂ，３８ａ，３８ｂ，３９ａ，３９ｂ，４０ａ，４０ｂ，３７ａ，４３ａ（壁面４３ａは図４を参照）によって一軸線Ｘを直交する断面で略四角形状に囲まれている。
【００２８】
即ち、図１に示した４つのコンタクト収容部３２ａ〜３２ｄでは、図示の最上段のコンタクト収容部３２ａが、コンタクト１１のベース板部１６を設置する第１壁面３８ａと、第１壁面３８ａに対向している第２壁面３６ｂと、第１及び第２壁面３８ａ，３６ｂ間を接続している第３壁面４２ａ及び第４壁面４３ａによって形成されている。なお、第３壁面４２ａ及び第４壁面４３ａは、コンタクト収容部３２ａ〜３２ｄに共通している壁面である。
【００２９】
２段目のコンタクト収容部３２ｂでは、コンタクト１１のベース板部１６を設置する第１壁面３９ａと、第１壁面３９ａに対向している第２壁面３８ｂと、第１及び第２壁面３９ａ，３８ｂ間を接続している第３壁面４２ａ及び第４壁面４３ａによって形成されている。
【００３０】
３段目のコンタクト収容部３２ｃでは、コンタクト１１のベース板部１６を設置する第１壁面４０ａと、第１壁面４０ａに対向している第２壁面３９ｂと、第１及び第２壁面４０ａ，３９ｂ間を接続している第３壁面４２ａ及び第４壁面４３ａによって形成されている。
【００３１】
４段目のコンタクト収容部３２ｄでは、コンタクト１１のベース板部１６を設置する第１壁面３７ａと、第１壁面３７ａに対向している第２壁面４０ｂと、第１及び第２壁面３７ａ，４０ｂ間を接続している第３壁面４２ａ及び第４壁面４３ａによって形成されている。
【００３２】
第３壁面４２ａ及び第４壁面４３ａには、コンタクト収容部３２ａ〜３２ｄへ突出している略台形状をなす係止突起部３４が設けられている。係止突起部３４は、４つのコンタクト収容部３２ａ〜３２ｄに２つづつ設けられている。
【００３３】
即ち、最上段のコンタクト収容部３２ａには、第２壁面３６ｂに当接するように第３壁面４２ａに１つの係止突起部３４が設けられており、第２壁面３６ｂに当接するように第４壁部４３ｂに１つの係止突起部３４が設けられており、これらの係止突起部３４が最上段のコンタクト収容部３２ａで対向している。
【００３４】
なお、係止突起部３４は、第２壁面３６ｂ及び第３壁面４２ａの角部分、第２壁面３６ｂ及び第４壁部４３ｂの角部分に一体に成型されていてもよく、又は係止突起部３４は第２壁面３６ｂに対して離間するように設けてもよい。
【００３５】
２段目のコンタクト収容部３２ｂには、第２壁面３８ｂに当接するように第３壁面４２ａに１つの係止突起部３４が設けられており、第２壁面３８ｂに当接するように第４壁部４３ｂに１つの係止突起部３４が設けられており、これらの係止突起部３４が２段目のコンタクト収容部３２ｂで対向している。
【００３６】
なお、係止突起部３４は、第２壁面３８ｂ及び第３壁面４２ａの角部分、第２壁面３８ｂ及び第４壁部４３ｂの角部分に一体に成型されていてもよく、又は係止突起部３４は第２壁面３８ｂに対して離間するように設けてもよい。
【００３７】
３段目のコンタクト収容部３２ｃには、第２壁面３９ｂに当接するように第３壁面４２ａに１つの係止突起部３４が設けられており、第２壁面３９ｂに当接するように第４壁部４３ｂに１つの係止突起部３４が設けられており、これらの係止突起部３４が２段目のコンタクト収容部３２ｃで対向している。
【００３８】
なお、係止突起部３４は、第２壁面３９ｂ及び第３壁面４２ａの角部分、第２壁面３９ｂ及び第４壁部４３ｂの角部分に一体に成型されていてもよく、又は係止突起部３４は第２壁面３９ｂに対して離間するように設けてもよい。
【００３９】
４段目のコンタクト収容部３２ｄには、第２壁面４０ｂに当接するように第３壁面４２ａに１つの係止突起部３４が設けられており、第２壁面４０ｂに当接するように第４壁部４３ｂに１つの係止突起部３４が設けられており、これらの係止突起部３４が２段目のコンタクト収容部３２ｄで対向している。
【００４０】
なお、係止突起部３４は、第２壁面４０ｂ及び第３壁面４２ａの角部分、第２壁面４０ｂ及び第４壁部４３ｂの角部分に一体に成型されていてもよく、又は係止突起部３４は第２壁面４０ａに対して離間するように設けてもよい。
【００４１】
図１におけるインシュレータ３１では、縦列に配置したコンタクト収容部３２ａ〜３２ｄにおける係止突起部３４の位置を説明したが、図４に示したように、インシュレータ３１の縦１列に配置したコンタクト収容部３２ａ〜３２ｄの他にも、横列（幅方向Ｙ）に配置したコンタクト収容部（図４では１つのコンタクト収容部３３ａを図示している）があり、これらのコンタクト収容部３３ａにも縦列に配置したコンタクト収容部３２ａ〜３２ｄと同様に係止突起部３４が設けられている。
【００４２】
したがって、図４にても解かるように、壁部４２の両面である第３壁面４２ａ，４２ｂに係止突起部３４がそれそれ壁部４２を挟むように対称に配置されている。係止突起部３４は、インシュレータ３１をプラスチック材によって成型加工するときに同時に成型される。
【００４３】
係止突起部３４は、係止バネ部２３ａ，２４ａの第１の方向Ａ端側における外側端辺に当接するテーパ面３４ａと、テーパ面３４ａに引き続き係止バネ部２３ａ，２４ａを摺接させ押圧し変位方向Ｚへ変位させる摺接面３４ｂと、窓部２３ｃ，２４ｃの内側辺に対向してコンタクト１１の第２の方向Ｂへの移動を阻止する係止面３４ｄとを有している。
【００４４】
テーパ面３４ａは、コンタクト収容部３２ａ〜３２ｄへコンタクト１１が第１の方向Ａで挿入されて係止バネ部２３ａ，２４ａに係止突起部３４が位置したときに係止バネ部２３ａ，２４ａの外側端辺に当接する。摺接面３４ｂは、コンタクト１１が第１の方向Ａへ挿入されたときにテーパ面３４ａに引き続き係止バネ部２３ａ，２４ａを摺接させ押圧し変位方向Ｚへ変位させる。窓部２３ｄ，２４ｄには、係止突起部３４が入り込みコンタクト１１が所定位置に位置したときに窓部２３ｃ，２４ｃの内側辺に対向してコンタクト１１の第２の方向Ｂへの移動を阻止する。
【００４５】
テーパ面３４ａは、第１の方向Ａ側から第２の方向Ｂの先端へ第３及び第４壁面４２ａ，４３ａに対して近づく向きに傾斜している。摺接面３４ｂは、第３及び第４壁面４２ａ，４３ａ対して平行な面であり、係止面３４ｄは、第３及び第４壁面４２ａ，４３ａ対して略直角な面である。
【００４６】
以下、図１を参照して、コンタクト１１をインシュレータ３１のコンタクト収容部３２ａ〜３２ｄへ挿入し、インシュレータ３１にコンタクト１１を保持する操作について説明する。なお、図１では、図３によって説明したケーブル６１を省略した状態で示している。　図１において、最上段のコンタクト収容部３２ａでは、コンタクト１１が挿入されていない状態を示している。２段目及び３段目のコンタクト収容部３２ｂ，３２ｃでは、コンタクト１１を挿入している途中の状態を示している。４段目のコンタクト収容部３２ｄでは、コンタクト１１が収容されて係止突起部３４に係止部２４が係止されている状態を示している。
【００４７】
今、最上段のコンタクト収容部３２ａにコンタクト１１が挿入されていない状態から、２段目のコンタクト収容部３２ｂにおいて示すようにコンタクト１１を第１の方向Ａでコンタクト収容部３２ｂに挿入すると、係止バネ部２３ａ，２４ａの第１の方向Ａにおける端辺と係止突起部３４の第２の方向Ｂにおける先端が対向する。
【００４８】
さらに、コンタクト１１を第１の方向Ａへ挿入していくと、３段目のコンタクト収容部３２ｃにおいて示すように、係止突起部３４のテーパ面３４ａに係止バネ部２３ａ，２４ａが摺接し押圧して変位方向Ｚへ変位させ、さらにコンタクト１１を第１の方向Ａへ挿入していくと、摺接面３４ｂに係止バネ部２３ａ，２４ａの外面が摺接しつつ変位方向Ｚへ押圧して変位させる。このとき、対向している延在端２３ｆ，２４ｆは、互いに近づき延在端２３ｆ，２４ｆ間の隙間Ｇが狭まる。
【００４９】
そして、さらに、４段目のコンタクト収容部３２ｄにおいて示すように、コンタクト１１を第１の方向Ａへ挿入していくと、係止バネ部２３，２４の窓部２３ｄ，２４ｄに係止突起部３４が入り込み、コンタクト１１が所定位置に位置して窓部２３ｃ，２４ｃの内側辺に係止面３４ｄが対向してコンタクト１１の第２の方向Ｂへの移動を阻止する。
【００５０】
このとき、係止突起部３４の摺接面３４ｂから係止バネ部２３，２４が外れることによって押圧が解除され、係止バネ部２３ａ，２４ａがバネ復元力によって元の位置へ戻る。この状態における係止バネ部２３ａ，２４ａの形態及び位置は、２段目の係止バネ部２３ａ，２４ａの形態と同じである。この状態では、窓部２３ｄ，２４ｄの内側辺に係止突起部３４の係止面３４ｄに限りなく近づいて対向するか、互いに当接するように位置させることができるので、ケーブル６３を第２の方向Ｂへ引き抜こうとしても係止バネ部２３ａ，２４ａ、係止突起部３４などが破壊されない限り引き抜くことができず、コンタクト１１の第２の方向Ｂへの移動が阻止される。
【００５１】
なお、インシュレータ３１には、第１の方向Ａの先端面側に相手コンタクト５１を各コンタクト収容部３２ａ〜３２ｄから接触部１２へ正しい姿勢で挿入できるようにガイドするガイド穴３１ｅが形成されている。また、各コンタクト収容部３２ａ〜３２ｄには、インシュレータ３１内にガイド穴３１ｅを形成しているガイド壁面３１ｍが形成されているので接触部１２の第１の方向Ａにおける先端がガイド壁面３１ｍに当ることでコンタクト収容部３２ａ〜３２ｄの所定位置に位置決めされる。
【００５２】
図５乃至図７は、本発明に係るコネクタの第２実施の形態例を示している。なお、第２実施の形態例におけるコネクタを説明するにあたり、第１実施の形態例における係止部１３及び係止突起部３４が相違する部分であることから、図１乃至図３によって説明した係止部１３の一部及び係止突起部３４を除く各部分の説明については、同じ符号を付して説明を省略する。
【００５３】
図５乃至図７を参照して、第２実施の形態例における係止部１１３は、一軸線Ｘを直交するベース板部１６の幅方向における一対の側辺にそれぞれに接続されて互いに対向するよう延びてかつ互いに離れる向きの変位方向Ｚ′で変位可能な一対の係止バネ部１２３，１２４と、係止バネ部１２３ａ，１２４ａからベース板部１６の一面１６ａに対向するよう曲げられて延びてかつ延在端１２３ｆ，１２４ｆが対向しているバネ延在部１２３ｂ，１２４ｂと、係止バネ部１２３ａ，１２４ａに形成した窓部１２３ｄ，１２４ｄとを有している。
【００５４】
バネ延在部１２３ｂ，１２４ｂの延在端１２３ｆ，１２４ｆは、第２の方向Ｂ側に図２に示した隙間Ｇと同様な隙間Ｇをもち、第１の方向Ａ側の延在端１２３ｆ，１２４ｆは、第１の方向Ａ端から幅方向Ｘにおける寸法が次第に小さい寸法となるよう傾斜しているテーパ端面１２３ｇ，１２４ｇとなっており、対向しているテーパ端面１２３ｇ，１２４ｇに略三角形状の隙間Ｇ１をもっている。また、バネ延在部１２３ｂ，１２４ｂは、ベース板部１６から接触部１２の接触支持板部１２ｃまでの高さ寸法よりも高い位置に設定されている。
【００５５】
インシュレータ３１のコンタクト収容部３２ａ〜３２ｄにおける第２壁面３６ｂ，３８ｂ，３９ｂ，４０ｂのそてぞれには、幅方向Ｙの中央部分にコンタクト収容部３２ａ〜３２ｄのそれぞれへ突出している略楔形状の係止突起部１３４が設けられている。その他、インシュレータ３１の構成は、第１実施の形態例によって説明した係止突起部１３４を除いた構成と同じである。
【００５６】
係止突起部１３４は、図７にも示すように、コンタクト収容部３２ａ〜３２ｄへコンタクト１１が第１の方向Ａで挿入されて係止バネ部１２３ａ，１２４ａに係止突起部１３４が位置したときに係止バネ部１２３ａ，１２４ａのテーパ端面１２３ｇ，１２４ｇに当接する一対のテーパ面１３４ａ，１３４ａ′と、さらにコンタクト１１が第１の方向Ａへ挿入されたときにテーパ面１３４ａ，１３４ａ′に引き続き係止バネ部１２３ａ，１２４ａの延在端１２３ｆ，１２４ｆを摺接し係止バネ部１２３，１２４を変位方向Ｚ′へ押圧して変位させる一対の摺接面１３４ｂ，１３４ｂ′と、コンタクト１１が所定位置に位置したときに第２の方向Ｂにおける係止部１１３の第２の方向Ｂにおける端辺に対向してコンタクト１１の第２の方向Ｂへの移動を阻止する係止面１３４ｄとを有している。
【００５７】
以下、図５を参照して、コンタクト１１をインシュレータ３１のコンタクト収容部３２ａ〜３２ｄへ挿入し、インシュレータ３１にコンタクト１１を保持する操作について説明する。
【００５８】
図５において、最上段のコンタクト収容部３２ａでは、コンタクト１１が挿入されていない状態を示している。２段目及び３段目のコンタクト収容部３２ｂ，３２ｃでは、コンタクト１１を挿入している途中の状態を示している。４段目のコンタクト収容部３２ｄでは、コンタクト１１が収容されて係止突起部３４に係止部１１３が係止されている状態を示している。
【００５９】
今、最上段のコンタクト収容部３２ａにコンタクト１１が挿入されていない状態から、２段目のコンタクト収容部３２ｂにおいて示すようにコンタクト１１を第１の方向Ａでコンタクト収容部３２ｂに挿入すると、係止バネ部１２３ａ，１２４ａの第１の方向Ａにおける隙間Ｇ１と係止突起部３４の第２の方向Ｂにおける先端が対向する。
【００６０】
さらに、コンタクト１１を第１の方向Ａへ挿入していくと、３段目のコンタクト収容部３２ｃにおいて示すように、バネ延在部１２３ｂ，１２４ｂのテーパ端面１２３ｇ，１２４ｇが係止突起部３４のテーパ面１３４ａ，１３４ａ′を摺接する。さらにコンタクト１１を第１の方向Ａへ挿入していくと、摺接面１３４ｂ，１３４ｂ′がバネ延在部１２３ｂ，１２４ｂの延在端１２３ｆ，１２４ｆを摺接させつつ押圧して係止バネ部１２３ａ，１２４ａを押し広げるように変位方向Ｚ′へ変位させる。このとき、延在端１２３ｆ，１２４ｆは互いに離れ、延在端１２３ｆ，１２４ｆ間の隙間Ｇが大きく広がる。
【００６１】
そして、さらに、４段目のコンタクト収容部３２ｄにおいて示すように、コンタクト１１を第１の方向Ａへ挿入していくと、摺接面１３４ｂ，１３４ｂ′から係止バネ部１２３，１２４が外れ、コンタクト１１が所定位置に位置してバネ延在部１２３ｂ、１２４ｂの第２の方向Ｂにおける側辺に係止面３４ｄが対向してコンタクト１１の第２の方向Ｂへの移動を阻止する。
【００６２】
このとき、係止突起部１３４の摺接面１３４ｂ，１３４ｂ′から係止バネ部１２３，１２４が外れることによって押圧が解除され、係止バネ部１２３，１２４がバネ復元力によって元の位置へ戻る。このときの係止バネ部１２３ａ，１２４ａの形態及び位置は、２段目の係止バネ部１２３ａ，１２４ａの形態と同じである。この状態では、係止バネ部１２３ａ，１２４ａの側辺に係止突起部１３４の係止面１３４ｄに限りなく近づいて対向するか、互いに当接するように位置させることができるので、ケーブル６３を第２の方向Ｂへ引き抜こうとしても係止バネ部１２３ａ，１２４ａ、係止突起部１３４などが破壊されない限り引き抜くことができず、コンタクト１１の第２の方向Ｂへの移動が阻止される。
【００６３】
なお、第１及び第２実施の形態例では、コンタクト１１の形状を一般に筒形状（ソケット状）の接触部１２をもつソケット型コンタクトと呼ばれているコンタクト１１によって説明したが、インシュレータ３１に挿入してコンタクトをインシュレータに係止しインシュレータ内でコンタクトを保持する周知なコンタクトにおいても、係止部１３，１１３を形成することによって本発明を適用できることはいうまでもない。
【００６４】
【発明の効果】
以上説明したように、本発明に係るコネクタによれば、係止部は変位方向で変位する係止バネ部と、係止バネ部の変位方向に沿って曲げられて延びているバネ延在部とを有し、インシュレータの壁面には、コンタクトをコンタクト収容部へ挿入する途中で係止バネ部を変位方向へ押圧しかつコンタクトをコンタクト収容部の所定位置に収容した状態で係止バネ部に対向しコンタクトの第２の方向への移動を規制するようにコンタクト収容部へ突出している係止突起部が設けられているので、コンタクトを搬送するときや、インシュレータへコンタクトを挿入するとき係止バネ部が外力により変形することがない。
【００６５】
また、コンタクトは、導電板をプレス打ち抜き加工を行った後、曲げ加工を施すことによって製作することができ、インシュレータの係止突起部は、プラスチック材によってインシュレータを成型するときに同時に成型することができる。
【００６６】
また、プラスチック材料によってインシュレータを成型する際に、係止突起部の未充填を防止することができるので、十分な強度をもってコンタクトの保持ができる係止突起部が得られる。
【図面の簡単な説明】
【図１】本発明に係るコネクタの第１実施の形態例を示しており、コンタクトを挿入し保持するまでの過程を示す断面図である。
【図２】図１に示したコンタクトを示す斜視図である。
【図３】図１に示したコンタクトにケーブルを接続する状態を示した側面図である。
【図４】図１に示した係止突起部を拡大しインシュレータの一部を断面して示した断面図である。
【図５】本発明に係るコネクタの第２実施の形態例を示しており、コンタクトを挿入し保持するまでの過程を示す断面図である。
【図６】図５に示したコンタクトを示す斜視図である。
【図７】図５に示した係止突起部を拡大しインシュレータの一部を断面して示した断面図である。
【図８】従来のコネクタの要部を示した断面図である。
【符号の説明】
１１　　コンタクト
１２，３１２　　接触部
１２ｃ　　接触支持板部
１２ｆ　　接触側板部
１３，１１３，３３４　　係止部
１６　　ベース板部
１６ａ　　ベース板部の一面
２３ａ，２４ａ，１２３ａ，１２４ａ　　係止バネ部
２３ｂ，２４ｂ，１２３ｂ，１２４ｂ　　バネ延在部
２３ｄ，２４ｄ，１２３ｄ，１２４ｄ　　窓部
２３ｆ，２４ｆ，１２３ｆ，１２４ｆ　　延在端
３１，３３１　　インシュレータ
３２ａ，３２ｂ，３２ｃ，３２ｄ，３３７　　コンタクト収容部
３４　　係止突起部
３４ａ，１３４ａ，１３４ａ′　　テーパ面
３４ｂ，１３４ｂ，１３４ｂ′　　摺接面
３４ｄ　　係止面
３６ｂ，３８ｂ，３９ｂ，４０ｂ　　第２壁面
３７ａ，３８ａ，３９ａ，４０ａ　　第１壁面
４２ａ　　第３壁面
４３ａ　　第４壁面
５１　　相手コンタクト
１２３ｇ，１２４ｇ　　テーパ端面
４０１　　ランス
Ａ　　第１の方向
Ｂ　　第２の方向
Ｇ　　隙間
Ｘ　　一軸線
Ｙ　　幅方向
Ｚ，Ｚ′　　変位方向
【図１】
2004071462.tif 000003
【図２】
2004071462.tif 000004
【図３】
2004071462.tif 000005
【図４】
2004071462.tif 000006
【図５】
2004071462.tif 000007
【図６】
2004071462.tif 000008
【図７】
2004071462.tif 000009
【図８】
2004071462.tif 000010